(57)【要約】      （修正有）【課題】バッグ、身装品等或いは身体に、紐等で連接する宝飾品等からなるペンダントを付着させ又は内蔵させたぬいぐるみやマスコット等において、該ペンダント等を衝撃から守り、容易に着脱する事ができ、また、ぬいぐるみ等に堅牢なＩＤカードを付設したペンダントを提供する。【解決手段】ぬいぐるみ又はマスコットなどの基体１の適宜な位置に異型凹孔を形成させ、当該凹孔にはめ込む類似形凹箱の内側底部にはクッション部材として面ファスナー又は磁石の一方を配設し宝飾品２等の基台の一部を形成する凸部分の裏面に面ファスナー又は磁石の一対のもう一方を固着した宝飾品等を挿入、嵌着し、自在に着脱又は着せ替えする。更に、基体及び／または係着部材の一面に堅牢な材質のＩＤカードを背面に付着させ、基体と係着部材を紐４により連接してバッグ等或いは身体へ掛け止めできる構成とする。【選択図】図１
0003176269.tif 000002
【実用新案登録請求の範囲】
【請求項１】
バッグ、身装品等に掛け止めでき、或いは身体に連接できるように宝飾品または模造品（ロケット機能も含む）等をペンダントヘッドとして装着したぬいぐるみ、マスコット、ネックレス、ベルト、ブレスレット、ブローチ、帯等を基体とするペンダントであり、基体と係着部材とを紐等によって連接させ、更に基体の表側空間に異型凹孔を形成し、当該凹孔にはめ込まれた類似型凹箱の内側底部にはクッション部材として面ファスナー又は磁石の一方を配設し、宝飾品または模造品（ロケット機能も含む）等の基台の類似型凸部に面ファスナー又は磁石の一対のもう一方を固着し、自在に着脱でき、着せ替え出来る機能も併せ持つことを特徴とするペンダント。
【請求項２】
基体及び／または係着部材の一面にＩＤカードとして使用するための板を取り付けてなることを特徴とする請求項１記載のペンダント
【考案の詳細な説明】
【技術分野】
【０００１】  この考案は、紐又はチェーン等でバッグ、身装品等に掛け止めでき、且つ身体に連接できるぬいぐるみ、マスコット、ベルト、ネックレス、ブローチ、帯等の基体の表面側に宝飾品又は模造品（ロケット機能も含む）等を付着させたり、又基体に異型の凹孔を形成し、類似形の凹箱を施設し、宝飾品又は模造品（ロケット機能も含む）等がはめ込まれ、取り換え自在なペンダントヘッドを持つペンダントに関するものである
【背景技術】
【０００２】  従来より、ぬいぐるみやマスコット等として構成された基体の表側に凹孔が設けられ、その凹孔に時計を嵌め込んでなる携帯時計は存在する（実用新案登録第３１７２８００号）が、しかし、宝飾品又は模造品（ロケット機能も含む）等をぬいぐるみ、マスコット、ベルト、ブローチ、ネックレス、帯等の基体にペンダントヘッドとして付着させたり、嵌め込む技術は存在しない。
【先行技術文献】
【特許文献】
【０００３】
【特許文献１】特開２００３−２９９８８４
【特許文献２】特開平５−１２３４５６
【特許文献５】実用新案登録第３１７２８００号
【考案の概要】
【考案が解決しようとする課題】
【０００４】  ぬいぐるみ、マスコット、ベルト、ネックレス、ブレスレット、ブローチ等を構成する基体の表側空間に異型凹孔と類似型凹箱とを施設し、宝飾品又は模造品（ロケット機能も含む）等の基台凸部をペンダントヘッドとして挿入、装着し、自在に着脱でき、着せ替えできる従来技術は存在しない。
また、宝飾品又は模造品（ロケット機能も含む）等をペンダントヘッドとして基体に正確な位置決めをして固定化する技術は存在せず、さらに宝飾品又は模造品（ロケット機能も含む）等がペンダントヘッドとして正確な位置決め固定をされていないために、ぬいぐるみ又はマスコット等の上下動、水平動、回転等の変動に耐えられる宝飾品又は模造品（ロケット機能も含む）等のペンダントヘッドを固定化する技術は存在しない。【０００５】  更に、宝飾品又は模造品（ロケット機能も含む）等はペンダントヘッドとしてぬいぐるみ、マスコット、ベルト、ネックレス、ブレスレット、ブローチ等の基体から外装部が突出するのが一般的であるので、その外装部が外部から直接受ける衝撃、又は外部から加えられる損傷等を低減する技術は存在しない。
宝飾品又は模造品（ロケット機能も含む）等の外装部がぬいぐるみ又はマスコット等の基体から外部に突出している場合の外観は、甚だ美観を損なう形態であり、一体感を欠く形態である。
【課題を解決するための手段】
【０００６】  本考案は、ぬいぐるみ又はマスコット等を構成する基体の表側に異型の凹孔を形成させ、その空間にはめ込む類似型の凹箱内側の底部にはクッション部材として面ファスナー又は磁石の一方を配設し、宝飾品又は模造品（ロケット機能も含む）等の類似形基台凸部の裏側に面ファスナー又は磁石の一対のもう一方を固着し、類似型基台凸部を挿入、嵌着するものであるので、これゆえ宝飾品又は模造品（ロケット機能も含む）等のペンダントヘッドは自在に着脱され、宝飾品又は模造品（ロケット機能も含む）等のペンダントヘッドを他の類似形の凹箱をもつ基体等へ着せ替えする事も容易である。更に、基体及び／または係着部材の一面に堅牢な材質のＩＤカードを付着させ、基体と係着部材を紐により連接してバッグ、ステッキ、身装品、傘等へ掛け止めでき、又身体に連接できる機能を持つ構造を有している。
【考案の効果】
【０００７】  本考案は、従来技術にない、新しい便益性と社会性を以下に提案するものである。
（１）  基体の表側の異型凹孔に類似型の凹箱を嵌め込み、凹箱内部の底部と宝飾品又は模造品（ロケット機能も含む）等の基台の類似型凸部分の裏側とにそれぞれ面ファスナー又は磁石を固着させ、宝飾品又は模造品（ロケット機能も含む）等のペンダントヘッドを自在に着脱でき、着せ替えを容易にできる新しい利便性を提供するものである。
（２）  基体と宝飾品または模造品（ロケット機能も含む）等のペンダントヘッドとに固着されたクッション効果が高い面ファスナーにより基体に掛かる衝撃が十分に緩和され、宝飾品又は模造品（ロケット機能も含む）等への破壊的ダメージをやわらげることに貢献する。
（３）  基体の表側をくり抜き宝飾品又は模造品（ロケット機能も含む）等を収納できる異型の空間を提供し、類似型の凹箱を設置することにより、基体における宝飾品又は模造品（ロケット機能も含む）等の位置決めを正確に且つ安易に確定する利便性を提案するものである。
（４）  基体の持つ固有の美観を減殺しないために、宝飾品又は模造品（ロケット機能も含む）等を基体に嵌め込み、一体感を向上させ、調和美を向上させる利便性を提案するものである。
（５）  プラスチックス又は金属等で規格量産された類似型の凹箱と基体の異型凹孔とを簡単に組み合わせる技術の提供により、個別生産による低生産性を回避し生産効率を高め、廉価に生産できる新しい経済的な製造方法の利便性を提案するものである。
（６）  基体及び／または係着部材の背面にＩＤカードを付着し、所有者のＩＤ情報（名前、住所、生年月日、血液型等）を明示させることにより、救急時の緊急対応や、盗難、置き忘すれ等の予防に対応出来る新しい社会的な利便性を提案するものである。
（７）  基体及び／係着部材の背面に堅牢なＩＤカードを付着させ、外部から加わる衝撃、圧力とから、基体及び／係着部材を保護する利便性を提案するものである。
【図面の簡単な説明】
【０００８】
【図１】  本考案のペンダントの全体を示す図である。
【図２】  本考案のペンダントの全体背面を示す図である。
【図３】  本考案の基体と宝飾品又は模造品（ロケット機能も含む）部分の略中央略断面を示す図である。
【図４】  図３における内部構造を省略した宝飾品または模造品（ロケット機能も含む）部分縦断面の拡大図である。
【考案を実施するための形態】
【００９】  本考案の実施の形態を図面に基づき説明する。図１乃至図４は本考案の実施の形態を示すものである。
【００１０】  図１において、１は基体を示しており、２は基体１の表側にくり抜かれた異型凹孔１ａに設置された類似型凹箱１ｂにはめ込まれた宝飾品又は模造品（ロケット機能も含む）等を示しており、３は基体１をバッグ等に係止させるための補助部材として使用する係着部材を示し、４は基体１と係着部材３又は身体とを連接する紐またはチェーン等４を示している。
【００１１】  基体１の材質は軽くて丈夫な木材が最適であるが、プラスチックス、繊維、金属、皮革、貴金属等でも構わない。また基体１の外側に宝石類、模造宝石類、貴金属類、印刷、及び彫刻などで美観を呈する装飾を施しても良く、或いは人形や動物の形をしたぬいぐるみ等で覆っても良い。また宝飾品又は模造品（ロケット機能も含む）等の内部にＧＰＳ，或いは時計等を内包してもよい。（図１）
【００１２】  宝飾品又は模造品（ロケット機能も含む）等の基台の一部分である類似型凸部２ａを基体に埋め込まれた類似型凹箱１ｂに円滑にはめ込み、ファスナー又は磁石で簡単に脱着できる構造を構築する。（図１及び図３）
【００１３】  係着部材３は基体１と同様に、軽くて丈夫な木材が最適であるが、プラスチックス、繊維、金属、皮革、貴金属等でも構わない。また外側に印刷、彫刻、塗料、宝飾品類又その模造品等で美観を呈する装飾を施しても良く、或いはぬいぐるみ等で覆って人形や動物のぬいぐるみなどにも適用できる。（図１）
【００１４】  紐４は丈夫な皮革が望ましいが、繊維製、プラスティック製、金属製、貴金属製或いはゴム製であっても良い。また紐４は、バッグ、ステッキ、傘、身装品等及び身体への巻き付け係止のため２本構成が望ましいが１本であっても構わない。（図１）
【００１５】  また、基体１および係着部材３の背面にはＩＤカードとして使用されることを目的とした強固な板５ａ並びに５ｂが固設されている（図２）。
【００１６】  宝飾品又は模造品（ロケット機能も含む）等２は基体１に対してほとんど露出しないようにはめ込まれている（図３）。
【００１７】  宝飾品又は模造品（ロケット機能も含む）等２を基体１に装着及び固定するには、一対の面ファスナー又は磁石の一方６ｂを基体１にはめ込まれた類似型凹箱１ｂの内側底部に接着剤等により固着し、そこに面ファスナー又は磁石のもう一方６ａを宝飾品又は模造品（ロケット機能も含む）等の基台底部の類似型凸部２ａの裏面２ｂに装着すればよく、また宝飾品又は模造品（ロケット機能も含む）等２を基体１から取り外したい時は宝飾品又は模造品（ロケット機能も含む）等２を強く引っ張れば面ファスナー又は磁石は分離し、容易に取り出すことができ、ぬいぐるみ又はマスコットの着せ替えも自在にできる。（図４）。
【符号の説明】
【００１８】１    基体
１ａ  異型凹孔
１ｂ  類似型凹箱
２    宝飾品又は模造品（ロケット機能も含む）等
２ａ  基台底部の類似形凸部
２ｂ  基台底部の類似形凸部の裏面
３    係着部材
４    紐、チェーン等
５ａ  板（基体の裏面）
５ｂ  板（係着部材の裏面）
６ａ  面ファスナー又は磁石の一方側
６ｂ  面ファスナー又は磁石のもう一方側
【図１】
0003176269.tif 000003
【図２】
0003176269.tif 000004
【図３】
0003176269.tif 000005
【図４】
0003176269.tif 000006